【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
装着者が眼にレンズを装着したときの眼の正常な瞳孔直径に十分近い差渡し寸法を持ち
、装着者に眼の網膜の中心領域内において鮮明な遠方視力を与えることができるような屈
折力を有する中心光学ゾーンと、
前記中心光学ゾーンよりも半径方向に外側に配置されており、装着者が眼にレンズを装
着したときの眼の正常な瞳孔直径の実質的に外側に存在するゾーンであって、装着者が眼
にレンズを装着しているときに該ゾーンを通って眼に入射する軸外光線を網膜の中心領域
の周囲に位置する網膜の周辺領域の上または前方のポイントに集束させるのに十分な量だ
け前記中心光学ゾーンの屈折力よりも大きな屈折力を有する周辺光学ゾーンと
を含んでなるコンタクトレンズ。
【請求項２】
前記周辺光学ゾーンの屈折力は、前記中心光学ゾーンの屈折力よりも少なくとも約１デ
ィオプタ（Ｄ）だけ大きいものである請求項１に記載のコンタクトレンズ。
【請求項３】
前記周辺光学ゾーンの屈折力は、前記中心光学ゾーンの屈折力よりも約２．５ディオプ
タと８ディオプタの間だけ大きいものである請求項１に記載のコンタクトレンズ。
【請求項４】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである請求項１に記載のコンタクトレンズ。
【請求項５】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである請求項２に記載のコンタクトレンズ。
【請求項６】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである請求項３に記載のコンタクトレンズ。
【請求項７】
前記中心光学ゾーンと前記周辺光学ゾーンは、湾曲の仕方が異なる隣接した前面を有し
、
前記隣接した前面の間には遷移ゾーンが介在しており、該遷移ゾーンは、前記中心光学
ゾーンと前記周辺光学ゾーンの前記湾曲の仕方が異なる隣接した前面を滑らかに繋ぐよう
に形作られている、請求項１に記載のコンタクトレンズ。
【請求項８】
前記中心光学ゾーンと前記周辺光学ゾーンは、湾曲の仕方が異なる隣接した前面を有し
、
前記隣接した前面の間には遷移ゾーンが介在しており、該遷移ゾーンは、前記中心光学
ゾーンと前記周辺光学ゾーンの前記湾曲の仕方が異なる隣接した前面を滑らかに繋ぐよう
に形作られている、請求項２に記載のコンタクトレンズ。
【請求項９】
前記中心光学ゾーンと前記周辺光学ゾーンは、湾曲の仕方が異なる隣接した前面を有し
、
前記隣接した前面の間には遷移ゾーンが介在しており、該遷移ゾーンは、前記中心光学
ゾーンと前記周辺光学ゾーンの前記湾曲の仕方が異なる隣接した前面を滑らかに繋ぐよう
に形作られている、請求項３に記載のコンタクトレンズ。
【請求項１０】
前記中心光学ゾーンと前記周辺光学ゾーンは、湾曲の仕方が異なる隣接した前面を有し
、
前記隣接した前面の間には遷移ゾーンが介在しており、該遷移ゾーンは、前記中心光学
ゾーンと前記周辺光学ゾーンの前記湾曲の仕方が異なる隣接した前面を滑らかに繋ぐよう
に形作られている、請求項４に記載のコンタクトレンズ。
【請求項１１】
前記中心光学ゾーンと前記周辺光学ゾーンとの間に介在する遷移ゾーンを更に含み、該
遷移ゾーンは、前記中心光学ゾーンの屈折力と前記周辺光学ゾーンの屈折力との間で漸次
的に変化する屈折力を与えるものである、請求項１に記載のコンタクトレンズ。
【請求項１２】
前記中心光学ゾーンと前記周辺光学ゾーンとの間に介在する遷移ゾーンを更に含み、該
遷移ゾーンは、前記中心光学ゾーンの屈折力と前記周辺光学ゾーンの屈折力との間で漸次
的に変化する屈折力を与えるものである、請求項２に記載のコンタクトレンズ。
【請求項１３】
前記中心光学ゾーンと前記周辺光学ゾーンとの間に介在する遷移ゾーンを更に含み、該
遷移ゾーンは、前記中心光学ゾーンの屈折力と前記周辺光学ゾーンの屈折力との間で漸次
的に変化する屈折力を与えるものである、請求項３に記載のコンタクトレンズ。
【請求項１４】
前記中心光学ゾーンと前記周辺光学ゾーンとの間に介在する遷移ゾーンを更に含み、該
遷移ゾーンは、前記中心光学ゾーンの屈折力と前記周辺光学ゾーンの屈折力との間で漸次
的に変化する屈折力を与えるものである、請求項４に記載のコンタクトレンズ。
【請求項１５】
装着者の眼における近視の進行を低減するために使用されるコンタクトレンズであって
、前面と後面を有する透明材料からなり、前記後面は装着者の眼にフィットするようなベ
ースカーブを描くように形成され、前記前面は、
直径は少なくとも３ｍｍであるが装着者の眼の正常な瞳孔直径よりも１ｍｍを超えて小
さくはならない実質的に円形形状のゾーンであって、装着者に眼の網膜の中心領域内にお
いて鮮明な遠方視力を与えることができるような屈折力を前記ベースカーブと一緒になっ
て作り出すように湾曲した中心光学ゾーンと、
前記中心光学ゾーンを取り囲む円環形状のゾーンであって、レンズを装着したときに、
前記中心光学ゾーンの屈折力よりも１ディオプタを超える量だけ大きく、当該ゾーンを通
って眼に入射する軸外光線を網膜の中心領域の周囲に位置する網膜の周辺領域内において
実質的に網膜の上または前方にある焦点面上に集束させるのに十分な屈折力を前記ベース
カーブと一緒になって作り出すように湾曲した円環形周辺光学ゾーンと
を含むコンタクトレンズ。
【請求項１６】
前記１ディオプタを超える量は、約２．５ディオプタと８ディオプタとの間にある請求
項１５に記載のコンタクトレンズ。
【請求項１７】
装着者の眼における近視の進行を低減するためのコンタクトレンズの形成方法であって
、
透明材料上に、レンズの装着者の眼にフィットするようなベースカーブを描くように湾
曲した後面を形成するステップと、
同じ透明材料上に、前記後面とは間隔を置いて前面を形成するステップであって、
最小差渡し寸法が眼の正常な瞳孔直径に十分近くなるように選ばれており、装着者に眼
の網膜の中心領域内において鮮明な遠方視力を与えることができるような屈折力を前記ベ
ースカーブと一緒になって作り出すように湾曲した中心光学ゾーンと、
前記中心光学ゾーンの周囲を取り囲み、かつ眼の正常な瞳孔直径の実質的に外側に存在
するゾーンであって、装着者が眼にレンズを装着しているときに該ゾーンを通って眼に入
射する周辺方向の光線を眼の網膜の周辺領域の上または前方にある焦点面上に集束させる
のに十分な量だけ前記中心光学ゾーンの屈折力よりも大きな屈折力を生み出す周辺光学ゾ
ーンと、を含むように、前面を形成するステップと
を含む、コンタクトレンズの形成方法。
【請求項１８】
前記周辺光学ゾーンの屈折力は、前記中心光学ゾーンの屈折力よりも少なくとも約１デ
ィオプタ（Ｄ）だけ大きいものである、請求項１７に記載のコンタクトレンズの形成方法
。
【請求項１９】
前記周辺光学ゾーンの屈折力は、前記中心光学ゾーンの屈折力よりも約２．５ディオプ
タと８ディオプタの間だけ大きいものである、請求項１７に記載のコンタクトレンズの形
成方法。
【請求項２０】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである、請求項１７に記載のコンタクトレンズの形成方法。
【請求項２１】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである、請求項１８に記載のコンタクトレンズの形成方法。
【請求項２２】
前記中心光学ゾーンの差渡し寸法は、該中心光学ゾーンの最小差渡し寸法が少なくとも
３ｍｍでありかつ眼の正常な瞳孔直径よりも１ｍｍを超えて小さくはならないように選択
されるものである、請求項１９に記載のコンタクトレンズの形成方法。
【請求項２３】
前記前面を前記中心光学ゾーンと前記周辺光学ゾーンとの間にリング状の遷移ゾーンが
介在するように形成するステップを更に含み、前記遷移ゾーンは、前記ベースカーブと一
緒になって前記中心光学ゾーンの屈折力と前記周辺光学ゾーンの屈折力との間で漸次的に
変化する屈折力が生み出されるように湾曲している、請求項１７に記載のコンタクトレン
ズの形成方法。
【請求項２４】
前記前面を前記中心光学ゾーンと前記周辺光学ゾーンとの間にリング状の遷移ゾーンが
介在するように形成するステップを更に含み、前記遷移ゾーンは、前記ベースカーブと一
緒になって前記中心光学ゾーンの屈折力と前記周辺光学ゾーンの屈折力との間で漸次的に
変化する屈折力が生み出されるように湾曲している、請求項１８に記載のコンタクトレン
ズの形成方法。
【請求項２５】
前記前面を前記中心光学ゾーンと前記周辺光学ゾーンとの間にリング状の遷移ゾーンが
介在するように形成するステップを更に含み、前記遷移ゾーンは、前記ベースカーブと一
緒になって前記中心光学ゾーンの屈折力と前記周辺光学ゾーンの屈折力との間で漸次的に
変化する屈折力が生み出されるように湾曲している、請求項１９に記載のコンタクトレン
ズの形成方法。
【請求項２６】
前記前面を前記中心光学ゾーンと前記周辺光学ゾーンとの間にリング状の遷移ゾーンが
介在するように形成するステップを更に含み、前記遷移ゾーンは、前記ベースカーブと一
緒になって前記中心光学ゾーンの屈折力と前記周辺光学ゾーンの屈折力との間で漸次的に
変化する屈折力が生み出されるように湾曲している、請求項２０に記載のコンタクトレン
ズの形成方法。
【請求項２７】
前記前面を前記中心光学ゾーンと前記周辺光学ゾーンとの間にリング状の遷移ゾーンが
介在するように形成するステップを更に含み、前記遷移ゾーンは、前記中心光学ゾーンの
カーブを前記周辺光学ゾーンのカーブと滑らかに繋ぐように湾曲している、請求項１７に
記載のコンタクトレンズの形成方法。
【請求項２８】
前記前面を前記中心光学ゾーンと前記周辺光学ゾーンとの間にリング状の遷移ゾーンが
介在するように形成するステップを更に含み、前記遷移ゾーンは、前記中心光学ゾーンの
カーブを前記周辺光学ゾーンのカーブと滑らかに繋ぐように湾曲している、請求項１８に
記載のコンタクトレンズの形成方法。
【請求項２９】
前記前面を前記中心光学ゾーンと前記周辺光学ゾーンとの間にリング状の遷移ゾーンが
介在するように形成するステップを更に含み、前記遷移ゾーンは、前記中心光学ゾーンの
カーブを前記周辺光学ゾーンのカーブと滑らかに繋ぐように湾曲している、請求項１９に
記載のコンタクトレンズの形成方法。
【請求項３０】
前記前面を前記中心光学ゾーンと前記周辺光学ゾーンとの間にリング状の遷移ゾーンが
介在するように形成するステップを更に含み、前記遷移ゾーンは、前記中心光学ゾーンの
カーブを前記周辺光学ゾーンのカーブと滑らかに繋ぐように湾曲している、請求項２０に
記載のコンタクトレンズの形成方法。
【請求項３１】
眼における近視の進行を抑制する方法であって、
中心光学ゾーン屈折力を持つ中心光学ゾーンと周辺光学ゾーン屈折力を持ち前記中心光
学ゾーンよりも半径方向に外側に配置された周辺光学ゾーンとを有するマルチゾーンコン
タクトレンズを装着者の眼に提供するステップと、
前記中心光学ゾーン屈折力を眼に鮮明な中心視力を与えるように選択するステップと、
周辺光学ゾーン屈折力を、前記中心光学ゾーン屈折力よりも大きく、前記周辺光学ゾー
ンを通って眼に入射する軸外光線が眼の周辺網膜の上または前方のポイントに集束するこ
とが保証されるように選択するステップと、
前記中心光学ゾーンのサイズを正常な瞳孔直径よりほぼ大きくなるように選択するステ
ップと
を含む方法。
【請求項３２】
前記中心光学ゾーンのサイズを選択するステップは、中心光学ゾーンのサイズを、少な
くとも３ｍｍはあり、かつ正常な瞳孔直径よりも１ｍｍを超えて小さくはならないように
選択することを更に含む、請求項３１に記載の方法。
【請求項３３】
前記周辺光学ゾーンの屈折力を前記中心光学ゾーンの屈折力よりも少なくとも約１ディ
オプタ（Ｄ）だけ大きくなるように選択するステップを更に含む、請求項３１に記載の方
法。
【請求項３４】
前記周辺光学ゾーンの屈折力を前記中心光学ゾーンの屈折力よりも少なくとも約１ディ
オプタ（Ｄ）だけ大きくなるように選択するステップを更に含む、請求項３２に記載の方
法。
【請求項３５】
前記周辺光学ゾーンの屈折力を選択するステップは、前記周辺光学ゾーンの屈折力を前
記中心光学ゾーンの屈折力よりも約２．５ディオプタ乃至８ディオプタの間だけ大きくな
るように選択することを更に含む、請求項３１に記載の方法。
【請求項３６】
前記周辺光学ゾーンの屈折力を選択するステップは、前記周辺光学ゾーンの屈折力を前
記中心光学ゾーンの屈折力よりも約２．５ディオプタ乃至８ディオプタの間だけ大きくな
るように選択することを更に含む、請求項３２に記載の方法。
【請求項３７】
前記周辺光学ゾーンの屈折力を選択するステップは、前記周辺光学ゾーンの屈折力を前
記中心光学ゾーンの屈折力よりも約２．５ディオプタ乃至８ディオプタの間だけ大きくな
るように選択することを更に含む、請求項３３に記載の方法。